(57)【要約】【課題】材質の異なる水道管及び給水管を継手部材を介して接続する際、継手部材の金属製部品の腐蝕を確実に防止する。【解決手段】一端が基礎Ｆ外面に開口するとともに、他端がべた基礎Ｆ１上面に開口する、建物の基礎Ｆに埋設されたスリーブ管２を経て給水管３が屋内から屋外に延出され、その先端が屋外の地中に埋設された水道管１と継手部材４を介して接続される。そして、継手部材４、該継手部材４と接続された水道管１の近傍及び給水管３の屋外延出部を覆う保護管５の一端部がスリーブ管２の一端部に着脱自在に嵌挿されるとともに、他端が水道管１に着脱自在に嵌挿され、さらに、スリーブ管２の一端における保護管５の外周面、保護管５の他端における水道管１の外周面にそれぞれコーキング剤Ｃが充填される。【選択図】図１
2014163401.tif 000002
【特許請求の範囲】
【請求項１】
屋外の地中に埋設された水道管と、建物の基礎に埋設され、一端が基礎外面に開口するとともに、他端が基礎土間面に開口するスリーブ管と、スリーブ管を通して建物の屋内から屋外に延出された給水管と、材質の異なる水道管及び給水管を接続する継手部材と、一端部がスリーブ管の一端部に直接もしくは径変換アダプターを介して嵌挿されるとともに、他端が水道管に嵌挿され、継手部材、該継手部材と接続された水道管の近傍及び給水管の屋外延出部を覆って地中に埋設された保護管とからなり、スリーブ管の一端における保護管の外周面又は基礎外面における径変換アダプターの外周面と、保護管の他端における水道管の外周面とがそれぞれ止水材を介して着脱自在に密封されることを特徴とする給水管接続部の防蝕構造。
【請求項２】
請求項１に記載の給水管接続部の防蝕構造において、前記保護管にユニオン継手を介してＬ字曲管が着脱自在に連結され、Ｌ字曲管の他端部がスリーブ管に直接もしくは径変換アダプターを介して嵌挿され、スリーブ管の一端におけるＬ字曲管の外周面又は基礎外面における径変換アダプターの外周面が止水材を介して着脱自在に密封されることを特徴とする給水管接続部の防蝕構造。
【請求項３】
請求項１又は２に記載の給水管接続部の防蝕構造において、前記スリーブ管の一端部の内径が他端部の内径に比較して大径に形成されていることを特徴とする給水管接続部の防蝕構造。
【発明の詳細な説明】
【技術分野】
【０００１】
この発明は、屋外に埋設された水道管と建物内の給水管との接続部の防蝕構造に関するものである。
【背景技術】
【０００２】
従来より、建物内に水道水を導くために、屋外に埋設された水道管を建物内の給水管に接続することが行なわれている。例えば、給水管の点検や補修、更新を容易にするため、一端が建物の基礎外面に開口するとともに、他端が建物の基礎土間面に開口するスリーブ管を基礎に埋設し、給水管をスリーブ管を通して屋内から屋外に延出させ、屋外において水道管に接続するようにしている（例えば、特許文献１参照）。
【０００３】
この場合、給水管としては、衛生的で耐蝕性に優れ、柔軟性に富んで施工が容易なこと等から、架橋ポリエチレン管やポリブテン管、あるいは、架橋ポリエチレン管の外周に傷付きを防止するためや保温を図るために管状保護材を設けた複層管が採用され、屋外に埋設される水道管には、水道用硬質ポリ塩化ビニル管が採用されている。
【先行技術文献】
【特許文献】
【０００４】
【特許文献１】特開２０１２−１２２５８６号公報
【発明の概要】
【発明が解決しようとする課題】
【０００５】
ところで、水道管である水道用硬質ポリ塩化ビニル管と給水管である架橋ポリエチレン管等とは材質が異なり、接着剤を用いて直接接着することはできない。このため、水道管と給水管とは継手部材を用いて接続される。具体的には、水道管に継手（例えば、積水化学工業株式会社の製造販売に係るＨＩ継手参照）を接着剤を介して一体に接着した後、継手に変換アダプター（例えば、積水化学工業株式会社の製造販売に係るエスロン（登録商標）ＨＩＶＰ変換アダプター参照）を接着剤を介して一体に接着し、さらに、変換アダプターにヘッダー継手（例えば、積水化学工業株式会社の製造販売に係るエスロカチット（登録商標）Ｅ  ペックスヘッダー（登録商標）アダプター参照）を着脱自在に接続し、ヘッダー継手にスリーブ管を通して屋外に引き出した給水管の先端を挿入して一体に接続するようにしている。
【０００６】
一方、継手部材は、水道管及び屋外に引き出した給水管とともに土中に埋設される。この場合、継手部材を構成するヘッダー継手には、金属材料からなる部品が用いられていることから、土中に埋設されることによってヘッダー継手に雨水等の不明水が浸入すると、金属製部品を腐蝕させるおそれがある。このため、ヘッダー継手を軟質塩化ビニルからなる防蝕テープを用いて被覆したり、発泡ポリエチレン製の配管用保温材等によって被覆し、その上から防蝕テープを巻き付ける等により、ヘッダー継手に不明水が浸入することを防止しているが、長期にわたって水密性能が確保されるとは言い難かった。
【０００７】
なお、スリーブ管の一端開口と給水管の外周面との隙間には止水材が充填されており、一端開口を通してスリーブ管内に不明水が浸入することは防止されている。
【０００８】
本発明は、このような問題点に鑑みてなされたもので、材質の異なる水道管及び給水管を継手部材を介して接続する際、継手部材の金属製部品の腐蝕を確実に防止することのできる給水管接続部の防蝕構造を提供するものである。
【課題を解決するための手段】
【０００９】
本発明は、屋外の地中に埋設された水道管と、建物の基礎に埋設され、一端が基礎外面に開口するとともに、他端が基礎土間面に開口するスリーブ管と、スリーブ管を通して建物の屋内から屋外に延出された給水管と、材質の異なる水道管及び給水管を接続する継手部材と、一端部がスリーブ管の一端部に直接もしくは径変換アダプターを介して嵌挿されるとともに、他端が水道管に嵌挿され、継手部材、該継手部材と接続された水道管の近傍及び給水管の屋外延出部を覆って地中に埋設された保護管とからなり、スリーブ管の一端における保護管の外周面又は基礎外面における径変換アダプターの外周面と、保護管の他端における水道管の外周面とがそれぞれ止水材を介して着脱自在に密封されることを特徴とするものである。
【００１０】
本発明によれば、保護管が着脱自在に嵌挿された水道管に継手部材を接続した後、継手部材にスリーブ管を通して屋外に引き出した給水管の先端を一体に接続する。次いで、保護管を水道管から引き出して継手部材及び給水管を覆うとともに、その先端部を一端開口を通してスリーブ管に着脱自在に嵌挿した後、スリーブ管の一端における保護管の外周面に止水材を充填するとともに、保護管の他端における水道管の外周面に止水材を充填し、スリーブ管と保護管との接続部及び水道管と保護管との接続部をそれぞれ着脱自在に密封する。
【００１１】
なお、継手部材に合わせて使用される保護管とスリーブ管との管径が異なる場合は、径変換アダプターが使用される。この場合は、保護管に径変換アダプターを一体に接続した後、径変換アダプターをスリーブ管に着脱自在に嵌挿し、基礎外面における径変換アダプターの外周面に止水材を充填し、基礎と径変換アダプターとの接続部を着脱自在に密封する。
【００１２】
この結果、水道管及び給水管を接続する継手部材が保護管によって覆われるとともに、水道管に対する保護管の接続部及びスリーブ管に対する保護管の接続部又は基礎に対する径変換アダプターの接続部がそれぞれ止水材を介して着脱自在に密封されることから、継手部材に金属製部品が採用されていても、保護管又は径変換アダプター及び保護管を通して継手部材に不明水が浸入して金属製部品を腐蝕させることを確実に防止できる。しかも、保護管又は径変換アダプターをスリーブ管から引き出し、水道管に被せて継手部材を露出させた後、継手部材を離脱させることにより、給水管の補修や更新等を簡単に行なうことができ、作業を妨げることはない。
【００１３】
本発明において、前記保護管にユニオン継手を介してＬ字曲管が着脱自在に連結され、Ｌ字曲管の他端部がスリーブ管に直接もしくは径変換アダプターを介して嵌挿され、スリーブ管の一端におけるＬ字曲管の外周面又は基礎外面における径変換アダプターの外周面が止水材を介して着脱自在に密封されることが好ましい。これにより、水道管が基礎と平行に敷設されている場合であっても、Ｌ字曲管を保護管に接続することによって同様に継手部材の金属製部品の腐蝕を防止することができる。
【００１４】
本発明において、前記スリーブ管の一端部の内径が他端部の内径に比較して大径に形成されていることが好ましい。これにより、継手部材の最大径に対応して保護管の外径が大きくなったとしても、外径の大きな保護管をスリーブ管の一端部に確実に着脱自在に嵌挿することができる。
【発明の効果】
【００１５】
本発明によれば、材質の異なる水道管及び給水管を継手部材を介して接続する際、継手部材の金属製部品の腐蝕を確実に防止することができる。
【図面の簡単な説明】
【００１６】
【図１】本発明の給水管接続部の防蝕構造の一実施形態を示す断面図である。
【図２】図１の給水管接続部の防蝕構造の施工要領を示す説明図である。
【図３】図１の給水管接続部の防蝕構造の変形例を示す断面図である。
【図４】図１の給水管接続部の防蝕構造の他の変形例を示す断面図である。
【図５】本発明の給水管接続部の防蝕構造の他の実施形態を示す断面図である。
【図６】図５の給水管接続部の防蝕構造の変形例を示す断面図である。
【図７】図５の給水管接続部の防蝕構造の他の変形例を示す断面図である。
【発明を実施するための形態】
【００１７】
以下、本発明の実施の形態を図面に基づいて説明する。
【００１８】
図１には、本発明の給水管接続部の防蝕構造の一実施形態が示されている。
【００１９】
この防蝕構造は、屋外の地中に埋設された水道管１と、建物の基礎Ｆに埋設されたスリーブ管２と、スリーブ管２を通して屋内から屋外に引き出された給水管３と、水道管１と給水管３とを接続する継手部材４と、一端が水道管１に着脱自在に嵌挿される一方、他端部がスリーブ管２に着脱自在に嵌挿され、継手部材４とともに、継手部材４に対する水道管１の接続部近傍及び給水管３の屋外延出部を覆って地中に埋設された保護管５とから構成されている。
【００２０】
水道管１は、ＪＩＳ  Ｋ６７４２に規定された水道用硬質ポリ塩化ビニル管であり、従来の硬質ポリ塩化ビニル管よりも耐衝撃性を向上させたものである。
【００２１】
スリーブ管２は、基礎Ｆを構築する際に、一端が基礎Ｆを貫通して屋外に突出するとともに、他端が建物内の基礎土間面、例えば、べた基礎Ｆ１上に突出するように鉄筋に支持してコンクリートを打設することにより、基礎Ｆに埋設される。これにより、スリーブ管２は、その一端が基礎Ｆの外面に開口し、他端がべた基礎Ｆ１上面に開口し、他端開口から一端開口を通して給水管３を屋内から屋外に引き出すことができる。
【００２２】
給水管３は、屋内の配管敷設に際して可撓性に優れた架橋ポリエチレン管であって、一端がスリーブ管２を通して屋内より屋外に延出され、後述する継手部材４のヘッダー継手４３に接続される。また、給水管３の他端もヘッダー継手が接続されてべた基礎Ｆ１等の基礎土間面上に設置されたヘッダー（図示せず）に着脱自在に接続され、水道水を給水管３、ヘッダーを通して台所等の水回り設備に供給することができる。
【００２３】
継手部材４は、前述したように、材質の異なる水道管１と給水管３とを接続するものであり、水道管１と接着剤を介して一体に接着された継手４１と、継手４１と接着剤を介して一体に接着された変換アダプター４２と、変換アダプター４２と着脱自在に接続されたヘッダー継手４３とからなり、ヘッダー継手４３に屋外に延出された給水管３の先端が差し込まれて一体に接続されている。
【００２４】
保護管５は、スリーブ管２の一端開口の内径に対応する外径の直管状管体５１の一端にキャップ５２を一体に接着して形成され、キャップ５２には、水道管１に着脱自在に嵌挿するための穴５ａが形成されている。
【００２５】
次に、このように構成された給水管接続部の防蝕構造の施工要領について説明する。
【００２６】
まず、保護管５をそのキャップ５２に形成された穴５ａを通して水道管１に全長にわたって嵌挿する（図２（ａ）参照）。次いで、保護管５から突出する水道管１の先端に接着剤を介して継手４１を一体に接着した後（図２（ｂ）参照）、継手４１に接着剤を介して変換アダプター４２を一体に接着する（図２（ｃ）参照）。さらに、変換アダプター４２にヘッダー継手４３を着脱自在に接続した後（図２（ｄ）参照）、ヘッダー継手４３にスリーブ管２を通して屋外に引き出した給水管３の先端を差し込んで一体に接続する（図２（ｅ）参照）。
【００２７】
水道管１に継手部材４を介して給水管３を接続したならば（図２（ｆ）参照）、継手部材４及び給水管３を覆うように、保護管５を水道管１に対して引き出し、その先端部をスリーブ管２の一端開口を通して嵌挿する（図２（ｇ）参照）。そして、スリーブ管２の一端における保護管５の外周面に止水材、例えば、コーキング剤Ｃを充填し、スリーブ管２と保護管５との接続部を密封する。また、保護管５のキャップ５２の穴５ａにおける水道管１の外周面にコーキング剤Ｃ等の止水材を充填し、水道管１と保護管５（キャップ５２）との接続部を密封する（図２（ｈ）参照）。
【００２８】
この結果、水道管１及び給水管３を接続する継手部材４が保護管５によって覆われるとともに、水道管１に対する保護管５の接続部及びスリーブ管２に対する保護管５の接続部がそれぞれコーキング剤Ｃ等の止水材を介して着脱自在に密封されることから、継手部材４を構成するヘッダー継手４３に金属製部品が採用されていても、保護管５を通してヘッダー継手４３に不明水が浸入して金属製部品を腐蝕させることを確実に防止できる。しかも、保護管５をスリーブ管２から引き出し、水道管１に被せて継手部材４を露出させた後、ヘッダー継手４３を変換アダプター４２から離脱させることにより、給水管３の補修や更新等を水道管１に関係なく簡単に行なうことができ、作業を妨げることはない。
【００２９】
なお、前述した実施形態においては、保護管５の一端部をスリーブ管２の一端部に直接嵌挿する場合を例示したが、継手部材４の最大径に対応して保護管５の外径が大きくなるときには、他端部の内径に比較して一端部の内径を保護管５の外径に対応する大径に形成したスリーブ管２を採用すればよい（図３参照）。
【００３０】
また、図４に示すように、継手部材４を覆う保護管５の外径及びスリーブ管２の一端部の内径にそれぞれ対応する径変換アダプター６を用意し、保護管５を径変換アダプター６に接着剤を介して一体に接着した後、径変換アダプター６の他端部をスリーブ管２の一端部に着脱自在に嵌挿するようにしてもよい。
【００３１】
この場合は、径変換アダプター６の段差部が基礎Ｆの外面に突き当てられることから、基礎Ｆの外面における径変換アダプター６の外周面にコーキング剤Ｃ等の止水材を充填して径変換アダプター６と基礎Ｆとの接続部を着脱自在に密封し、径変換アダプター６を経て保護管５内に不明水が浸入することを防止すればよい。
【００３２】
また、図５には、本発明の給水管接続部の防蝕構造の他の実施形態が示されている。
【００３３】
この実施形態の防蝕構造は、水道管１が基礎Ｆと平行に敷設されて、スリーブ管２に対して水道管１が交差する場合に対応するものであり、屋外の地中に埋設された水道管１と、建物の基礎Ｆに埋設されたスリーブ管２と、スリーブ管２を通して屋内から屋外に引き出された給水管３と、水道管１と給水管３とを接続する継手部材４と、一端が水道管１に着脱自在に嵌挿され、継手部材４とともに、継手部材４に対する水道管１の接続部近傍及び給水管３の屋外延出部近傍をそれぞれ覆って地中に埋設された保護管５と、保護管５に一端が着脱自在に接続されるとともに、他端部がスリーブ管２に着脱自在に嵌挿され、給水管３の屋外延出部を覆うＬ字曲管７とから構成されている。
【００３４】
ここで、水道管１、スリーブ管２、給水管３、継手部材４及び保護管５は、先の実施形態において説明したものと同一であり、同一の部材に同一の符号を付してその詳細な説明を省略し、Ｌ字曲管７について説明する。
【００３５】
Ｌ字曲管７は、ユニオン継手８を介して保護管５に着脱自在に接続され、スリーブ管２を通して屋内から屋外に延出された給水管３を覆って保護管５とともに地中に埋設される。
【００３６】
この実施形態の防蝕構造の施工に際しては、まず、保護管５をそのキャップ５２に形成された穴５ａを通して水道管１に全長にわたって嵌挿する。次いで、保護管５から突出する水道管１の先端に接着剤を介して継手４１を一体に接着した後、継手４１に接着剤を介して変換アダプター４２を一体に接着する。さらに、変換アダプター４２にヘッダー継手４３を着脱自在に接続した後、スリーブ管２を通して屋外に引き出された給水管３にＬ字曲管７を嵌挿し、Ｌ字曲管７から突出する給水管３の先端をヘッダー継手４３に差し込んで一体に接続する。
【００３７】
水道管１に継手部材４を介して給水管３を接続したならば、継手部材４及び給水管３を覆うように、保護管５を水道管１に対して引き出し、その先端とＬ字曲管７の先端とを突き合わせてユニオン継手８を介して着脱自在に接続した後、Ｌ字曲管７の先端部をスリーブ管２の一端開口を通して嵌挿する。そして、スリーブ管２の一端におけるＬ字曲管７の外周面にコーキング剤Ｃ等の止水材を充填し、スリーブ管２とＬ字曲管７との接続部を密封する。また、保護管５のキャップ５２の穴５ａにおける水道管１の外周面にコーキング剤Ｃ等の止水材を充填し、水道管１と保護管５（キャップ５２）との接続部を密封する。
【００３８】
この結果、水道管１とスリーブ管２とが交差するような位置関係にあったとしても、水道管１及び給水管３を接続する継手部材４が保護管５によって覆われるとともに、水道管１に対する保護管５の接続部及びスリーブ管２に対するＬ字曲管７の接続部がそれぞれコーキング剤Ｃ等の止水材を介して着脱自在に密封されることから、継手部材４を構成するヘッダー継手４３に金属製部品が採用されていても、保護管５及びＬ字曲管７を通してヘッダー継手４３に不明水が浸入して金属製部品を腐蝕させることを確実に防止ができる。しかも、ユニオン継手８を操作して保護管５とＬ字曲管７との接続を解除し、保護管５を水道管１に被せて継手部材４を露出させた後、ヘッダー継手４３を変換アダプター４２から離脱させるとともに、Ｌ字曲管７をスリーブ管２から引き出すことにより、給水管３の補修や更新等を水道管１に関係なく簡単に行なうことができ、作業を妨げることはない。
【００３９】
なお、この実施形態においては、Ｌ字曲管７の一端部をスリーブ管２の一端部に直接嵌挿する場合を例示したが、継手部材４の最大径に対応して保護管５の外径、すなわち、Ｌ字曲管７の外径が大きくなるときには、他端部の内径に比較して一端部の内径をＬ字曲管７の外径に対応する大径に形成したスリーブ管２を採用すればよい（図６参照）。
【００４０】
また、図７に示すように、継手部材４を覆う保護管５の外径、すなわち、Ｌ字曲管７の外径及びスリーブ管２の一端部の内径にそれぞれ対応する径変換アダプター６を用意し、Ｌ字曲管７を径変換アダプター６に接着剤を介して一体に接着した後、径変換アダプター６の他端部をスリーブ管２の一端部に着脱自在に嵌挿するようにしてもよい。
【００４１】
この場合は、径変換アダプター６の段差部が基礎Ｆの外面に突き当てられることから、基礎Ｆの外面における径変換アダプター６の外周面にコーキング剤Ｃ等の止水材を充填して径変換アダプター６と基礎Ｆとの接続部を密封し、径変換アダプター６を経てＬ字曲管７及び保護管５内に不明水が浸入することを防止すればよい。
【符号の説明】
【００４２】
１  水道管
２  スリーブ管
３  給水管
４  継手部材
４３  ヘッダー継手
５  保護管
６  径変換アダプター
７  Ｌ字曲管
Ｆ  基礎
Ｆ１  べた基礎
Ｃ  コーキング剤（止水材）                                                                      
【図１】
2014163401.tif 000003
【図２】
2014163401.tif 000004
【図３】
2014163401.tif 000005
【図４】
2014163401.tif 000006
【図５】
2014163401.tif 000007
【図６】
2014163401.tif 000008
【図７】
2014163401.tif 000009